(57)【要約】 【課題】貯留部内からの土砂の除去作業を容易に行うことができる雨水貯留システムを提供する。【解決手段】雨水を貯留するための貯水部１１に、該貯水部とは別に雨水が貯留される貯留部である第一のマンホール２５を設け、貯水部１１内の雨水の水位が第一のマンホール２５に形成された第一の開口２７の上縁部２７ａよりも低くなったとき、第一のマンホール２５内に貯留された雨水を土砂溜め部２４内に流入させることにより、土砂溜め部２４内に溜まった土砂を所定の収集箇所である第二のマンホール２６内に向けて押し流す。【選択図】図５
2008121349.tif 000002
【特許請求の範囲】
【請求項１】
雨水を貯留するための貯水部と、該貯水部内を充填するように積層されて前記貯水部内に配置され、該貯水部内に流入した雨水に含まれる土砂を該貯水部内の所定の位置へ向けて誘導する複数の充填部材と、前記貯水部内の前記所定の位置に設けられ、前記各充填部材により誘導された土砂を溜めるための土砂溜め部とを備え、前記貯水部には、該貯水部とは別に雨水が貯留される貯留部が設けられており、該貯留部は、前記貯水部内の雨水の水位が所定の高さ位置よりも低くなったとき、前記土砂溜め部内に溜まった土砂を所定の収集箇所に向けて押し流すために、前記貯留部内に貯留された雨水を前記土砂溜め部内に流入させることを特徴とする雨水貯留システム。
【請求項２】
前記貯留部には、前記土砂溜め部内に開放し、前記貯留部内の雨水を前記土砂溜め部内に流出させるための開口と、前記貯水部内の雨水の水位が上昇して前記所定の高さ位置に達したとき前記開口を閉鎖し、前記貯水部内の雨水の水位が低下して前記所定の高さ位置に達したとき前記開口を開放する開閉手段とが設けられていることを特徴とする請求項１に記載の雨水貯留システム。
【請求項３】
前記開閉手段は、前記貯水部内の水位を検出するための水位センサと、前記貯留部に前記開口を開放する開放位置と前記開口を閉鎖する閉鎖位置との間で移動可能に設けられた扉部材と、前記水位センサからの検出信号に基づいて前記扉部材を移動させるべく作動する駆動部とを備え、前記水位センサは、前記貯水部内の水位が上昇して前記所定の高さ位置に達したとき前記扉部材を前記閉鎖位置に移動させることを示す検出信号を前記駆動部に送り、前記貯水部内の雨水の水位が低下して前記所定の高さ位置に達したとき前記扉部材を前記開放位置に移動させることを示す検出信号を前記駆動部に送ることを特徴とする請求項２に記載の雨水貯留システム。
【発明の詳細な説明】
【技術分野】
【０００１】
本発明は、雨水を貯留するための雨水貯留システムに関する。
【背景技術】
【０００２】
従来、例えば住宅地の雨水の停滞及び河川の氾濫等の防止のために、雨水を一時的に貯留するための雨水貯留システムが知られている（例えば、特許文献１参照。）。この雨水貯留システムは、地面を掘削することにより形成された貯水部と、該貯水部内に該貯水部内を充填するように積層されて配置される複数の充填部材とを備える。各充填部材は、それぞれ貯水部内に流入した雨水に含まれる土砂を貯水部の底面の所定の位置に向けて誘導する機能を有する。
【０００３】
貯水部の底面の前記所定の位置には、各充填部材により誘導された土砂を溜めておくための土砂溜め部が形成されている。土砂溜め部は、貯水部の底面を前記所定の位置で更に掘り下げることにより形成されている。これにより、貯水部内に雨水と共に流入した土砂を土砂溜め部内に集積することができる。
【０００４】
土砂溜め部内に貯留された土砂を除去する際、土砂溜め部と地上とを連通する通路を地中に形成し、該通路内に吸引装置のホースを挿入し、吸引装置の作動によりホースを経て土砂溜め部内の土砂を吸引する。また、土砂溜め部の両側に土砂溜め部と地上とを連通する一対の通路を地中に形成し、一方の通路内に高圧洗浄装置のホースを挿入し、該ホースから土砂溜め部内に他方の通路に向けて高圧洗浄水を噴射することによって土砂を他方の通路内に押し流した後、他方の通路内に挿入した吸引装置のホースにより土砂を吸引する。これにより、土砂溜め部内に溜まった土砂を除去することができる。
【特許文献１】特開２００３−２０１７２２号公報
【発明の開示】
【発明が解決しようとする課題】
【０００５】
しかしながら、吸引装置のみを用いて土砂溜め部内の土砂を除去する場合、土砂溜め部内の土砂を土砂溜め部の全域に亘って吸引するために、土砂溜め部内の全域を探りながら吸引用のホースを操作する必要があるため、土砂溜め部内からの土砂の除去作業が煩雑になる。
【０００６】
また、高圧洗浄装置を用いて土砂溜め部内の土砂を除去する場合、高圧洗浄水が貯水部内に貯留された雨水から大きな抵抗を受けることにより高圧洗浄水の水勢が大きく弱められることなく高圧洗浄水から土砂に圧力を確実に作用させるために、貯水部内の雨水の水位が適切な水位であるか否かを除去作業を行う度に確認する必要があるため、この場合も土砂溜め部内からの土砂の除去作業が煩雑になる。また、吸引作業に加えて洗浄作業が必要となることから、土砂溜め部内から土砂を除去するための作業工数が増加するため、作業効率の低下を招く。
【０００７】
そこで、本発明の目的は、土砂溜め部内からの土砂の除去作業を容易に行うことができる雨水貯留システムを提供することにある。
【課題を解決するための手段】
【０００８】
上記課題を解決するために、請求項１に記載の発明は、雨水を貯留するための貯水部と、該貯水部内を充填するように積層されて前記貯水部内に配置され、該貯水部内に流入した雨水に含まれる土砂を該貯水部内の所定の位置へ向けて誘導する複数の充填部材と、前記貯水部内の前記所定の位置に設けられ、前記各充填部材により誘導された土砂を溜めるための土砂溜め部とを備え、前記貯水部には、該貯水部とは別に雨水が貯留される貯留部が設けられており、該貯留部は、前記貯水部内の雨水の水位が所定の高さ位置よりも低くなったとき、前記土砂溜め部内に溜まった土砂を所定の収集箇所に向けて押し流すために、前記貯留部内に貯留された雨水を前記土砂溜め部内に流入させることを特徴とする。
【０００９】
請求項２に記載の発明は、請求項１に記載の発明において、前記貯留部には、前記土砂溜め部内に開放し、前記貯留部内の雨水を前記土砂溜め部内に流出させるための開口と、前記貯水部内の雨水の水位が上昇して前記所定の高さ位置に達したとき前記開口を閉鎖し、前記貯水部内の雨水の水位が低下して前記所定の高さ位置に達したとき前記開口を開放する開閉手段とが設けられていることを特徴とする。
【００１０】
請求項３に記載の発明は、請求項２に記載の発明において、前記開閉手段は、前記貯水部内の水位を検出するための水位センサと、前記貯留部に前記開口を開放する開放位置と前記開口を閉鎖する閉鎖位置との間で移動可能に設けられた扉部材と、前記水位センサからの検出信号に基づいて前記扉部材を移動させるべく作動する駆動部とを備え、前記水位センサは、前記貯水部内の水位が上昇して前記所定の高さ位置に達したとき前記扉部材を前記閉鎖位置に移動させることを示す検出信号を前記駆動部に送り、前記貯水部内の雨水の水位が低下して前記所定の高さ位置に達したとき前記扉部材を前記開放位置に移動させることを示す検出信号を前記駆動部に送ることを特徴とする。
【発明の効果】
【００１１】
請求項１に記載の発明によれば、貯水部には、該貯水部とは別に雨水が貯留される貯留部が設けられており、貯留部は、貯水部内の雨水の水位が所定の高さ位置よりも低くなったとき、土砂溜め部内に溜まった土砂を所定の収集箇所に向けて押し流すために、貯留部内に貯留された雨水を土砂溜め部内に流入させることから、貯水部内の雨水の水位が所定の高さ位置よりも低くなる度に、貯留部内に貯留された雨水を土砂溜め部内に流入することにより、土砂溜め部内全域の土砂を前記所定の収集箇所に収集することができる。
【００１２】
これにより、例えば吸引装置を用いて土砂溜め部内の土砂を除去する場合でも、土砂溜め部内全域の土砂が所定の収集箇所に貯留部内の雨水によって予め収集されていることから、吸引用のホースを前記所定の収集箇所に到達するように操作することにより、土砂溜め部内を探ることなく土砂溜め部内の土砂の大部分を容易に吸引することができる。
【００１３】
従って、土砂溜め部内の土砂を土砂溜め部の全域に亘って吸引するために土砂溜め部内の全域を探りながら吸引用のホースを操作することによる従来のような土砂溜め部内からの土砂の除去作業の煩雑さを招くことなく、土砂溜め部内からの土砂の除去作業を容易に行うことができる。
【００１４】
また、貯水部内の雨水の水位が所定の高さ位置よりも低くなったときに貯留部内に貯留された雨水が土砂溜め部内に流入することから、前記所定の高さ位置を、貯留部からの雨水が貯水部内に貯留された雨水から大きな抵抗を受けることがない水量に対応する水位に設定することにより、貯留部内から土砂溜め部内に雨水を流入したとき、貯水部内の雨水により貯留部からの雨水の水勢が大きく弱められることが防止されるので、貯留部内の雨水から土砂に該土砂を押し流すのに十分な圧力を確実に作用させることができる。これにより、土砂に圧力を弱められることなく確実に作用させるために、高圧洗浄装置を用いて土砂溜め部内の土砂を除去する場合のような貯水部内の雨水の水位の確認作業を除去作業を行う度に行う必要はない。従って、貯水部内の雨水の水位の確認作業を除去作業を行う度に行うことによる従来のような土砂溜め部内からの土砂の除去作業の煩雑さを招くことなく、土砂溜め部内からの土砂の除去作業を容易に行うことができる。
【００１５】
更に、高圧洗浄装置を用いることなく土砂溜め部内の土砂を所定の収集箇所に収集することができることから、吸引装置を用いた吸引作業に加えて高圧洗浄装置を用いた洗浄作業を行う必要はない。これにより、洗浄作業を行うことによる作業工数の増加を確実に防止することができるので、従来のような作業効率の低下を確実に防止することができる。
【００１６】
請求項２に記載の発明によれば、貯留部には、土砂溜め部内に開放する開口と、該開口を開閉するための開閉手段とを備え、該開閉手段は、貯水部内の雨水の水位が上昇して前記所定の高さ位置に達したとき貯留部の開口を閉鎖することから、貯水部内の水位が前記所定の高さ位置を越えるように雨水が貯水部内に貯留されているときは開口は閉鎖状態におかれるので、前記所定の高さ位置が、貯留部からの雨水が貯水部内に貯留された雨水から大きな抵抗を受けることがない水量に対応する水位に設定された場合、貯留部からの雨水に大きな抵抗を与える量の雨水が貯水部内に貯留されている状態で貯留部内から雨水が流出することが防止される。これにより、貯留部内からの雨水の水勢が貯水部内の雨水によって大きく弱められることが防止されるので、貯留部内からの雨水から土砂溜め部内の土砂に該土砂を押し流すのに十分な圧力を確実に作用させることができる。
【００１７】
また、開閉手段は、貯水部内の雨水の水位が低下して前記所定の高さ位置に達したとき開口を開放することから、貯水部内の雨水の水位が前記所定の高さ位置に達したとき開口は開放状態におかれて貯留部内の雨水が土砂溜め部内に開口を経て流出する。これにより、前記所定の高さ位置が、貯留部からの雨水が貯水部内に貯留された雨水から大きな抵抗を受けることがない水量に対応する水位に設定された場合、貯水部内の貯留量が貯留部からの雨水に大きな抵抗を与えことがない量である状態で貯留部内から雨水が流出するので、貯水部内の雨水により貯留部からの雨水の水勢が大きく弱められることが防止される。従って、貯留部内の雨水から土砂に該土砂を押し流すのに十分な圧力を確実に作用させることができる。
【００１８】
請求項３に記載の発明によれば、貯水部内の水位を検出するための水位センサは、貯水部内の水位が上昇して前記所定の高さ位置に達したとき開口を閉鎖する閉鎖位置に扉部材を移動させることを示す検出信号を駆動部に送り、貯水部内の雨水の水位が低下して前記所定の高さ位置に達したとき開口を開放させる開放位置に扉部材を移動させることを示す検出信号を駆動部に送ることから、水位センサからの検出信号に基づいて駆動部を作動させることにより、貯水部内の水位に応じて開口を開閉することができるので、貯留部内からの雨水の流出を容易に制御することができる。
【発明を実施するための最良の形態】
【００１９】
本発明を図示の実施例に沿って説明する。
【実施例】
【００２０】
本発明に係る雨水貯留システム１０は、図１に示すように、雨水を貯留するための貯水部１１を備える。
【００２１】
貯水部１１は、地面を掘り下げることにより形成されており、上方へ開放する凹状をなしている。貯水部１１の開口１２には、図示の例では、防水性を有する被覆部材１３が開口１２を覆うように設けられている。貯水部１１の底面１４は、図示の例では、矩形状をなした平坦面である。底面１４上には、例えば割栗石のような石を敷き詰めることにより基礎部１５が形成されており、該基礎部上には、例えば合成樹脂からなる防水シート１６が敷設されている。貯水部１１の側面１１ａ上には、前記したと同様の防水シート１８が設けられている。基礎部１５上及び側面１１ａ上への防水シート１６，１８の設置により、貯水部１１内に貯留された雨水が基礎部１５及び側面１１ａから地中に浸透することが防止される。貯水部１１の上部には、雨水を地上から貯水部１１内に案内するための流入管１９が接続されている。また、貯水部１１の下部には、図示しないオリフィス管が接続されている。前記オリフィス管は、従来よく知られているように、貯水部１１内の雨水を例えば図示しない下水管に徐々に排出するための管部材である。
【００２２】
貯水部１１内には、貯水部１１の周囲からの土圧により貯水部１１の側面１１ａが崩れることを防止するための複数の充填部材２０が配置されている。
【００２３】
各充填部材２０は、図１に示す例では、それぞれポリエチレン及び塩化ビニルのような合成樹脂からなり、平面がほぼ正方形をなした板部材からなる。各充填部材２０は、貯水部１１の基礎部１５上にマトリックス状に整列して配置され、更に、貯水部１１内を充填するように該貯水部の深さ方向に積層されている。各充填部材２０は、図２に示すように、その四つの角部を構成する四本の柱状の連結部２１と、該連結部に固定され、水平面に対して所定の角度で傾斜する平坦な板状の傾斜板部２２とを備える。
【００２４】
各連結部２１は、図示の例では、それぞれ横断面が二等辺三角形をなした筒状をなしており、軸線が上下方向を向き且つ斜辺が各充填部材２０の内方へ向くように配置されている。各連結部２１の下端２１ａには、互いに重なり合った他の充填部材２０の対応する連結部２１の上端２１ｂに嵌合可能な嵌合部分２３が形成されている。各充填部材２０を互いに重ね合わせたときに、各充填部材２０の各連結部２１の嵌合部分２３を、他の充填部材２０の対応する各連結部２１の上端２１ｂにそれぞれ嵌合させることにより、互いに重なり合った各充填部材２０を互いに連結することができる。互いに重なり合った各充填部材２０間に、図１に示すように、両充填部材２０の連結部２１に接続可能なスペーサ部材Ｓを配置することにより、両充填部材２０間の間隔を調節することができる。また、各層を構成する複数の充填部材２０は、図示しない連結手段により互いに連結される。
【００２５】
傾斜板部２２の傾斜角度は、雨水に含まれる砂及び泥が傾斜板部２２上に滞留することなく雨水と共に傾斜板部２２上を図２に示す矢印の方向へ容易に流れる大きさに設定されている。
【００２６】
各充填部材２０は、図３に示すように、それぞれ傾斜板部２２の傾斜が貯水部１１の基礎部１５の図３で見て上下方向（以下、奥行方向と称す。）の中央部に向けて下り勾配となるように、基礎部１５上に整列して配置され、更に、傾斜板部２２の高さ位置が貯水部１１の深さ方向に沿って互いにずれるように積層されている。これにより、流入管１９を経て貯水部１１内に流入した雨水及びそれに含まれる土砂は、各充填部材２０の傾斜板部２２上を順次流れ落ち、貯水部１１の基礎部１５の前記中央部に向けて誘導される。
【００２７】
貯水部１１の周囲からその内方に向けての土圧は、互いに隣接した各充填部材２０間でそれらを圧縮する圧縮力として受け止められるので、土圧による貯水部１１の側壁１１ａの崩れが防止される。
【００２８】
貯水部１１の基礎部１５の前記中央部には、図１及び図３に示すように、各充填部材２０により誘導された土砂を留めるための土砂溜め部２４が設けられている。土砂溜め部２４は、図３で見て左右方向に沿って伸び且つ上面２４ａ及び両端２４ｂ，２４ｃがそれぞれ開放する溝状をなしている。
【００２９】
貯水部１１の図１で見て左右両側の外方には、図示の例では、それぞれ土砂溜め部２４内の点検を行うための第一のマンホール２５及び第二のマンホール２６がそれぞれ埋設されている。第一及び第二の各マンホール２５，２６は、図示の例では、それぞれほぼ正方形の横断面を有する筒状をなしており、それぞれの軸線が上下方向を向くように貯水部１１の奥行方向の中央部に配置されている。貯水部１１の図１で見て左右両側に位置する各側面１１ａに設けられた各防水シート１８の各マンホール２５，２６に対応する部分は切り取られており、これにより、各マンホール２５，２６の互いに対向する側壁２５ａ，２６ａはそれぞれ貯水部１１内に露出している。また、各マンホール２５，２６と各防水シート１８との間は、図示しないシール部材により気密的に封止されている。これにより、貯水部１１内の雨水が各マンホール２５，２６及び各防水シート１８間から貯水部１１の外方に漏れることが防止される。
【００３０】
第一のマンホール２５の側壁２５ａの下部２５ｂには、図１に示すように、第一の開口２７が形成されている。第一のマンホール２５は、図４（ａ）に示すように、その第一の開口２７が土砂溜め部２４の一端２４ｂで土砂溜め部２４内に開放し且つ第一の開口２７の上縁部２７ａが貯水部１１の基礎部１５の上面１５ａとほぼ等しい高さ位置になるように又は基礎部１５の上面１５ａよりも下方に位置するように配置されている。
【００３１】
また、第一のマンホール２５には、図５及び図６に示すように、貯水部１１内の雨水の水位が上昇して所定の高さ位置に達したとき第一の開口２７を閉鎖し、貯水部１１内の雨水の水位が低下して前記所定の高さ位置に達したとき第一の開口２７を開放する開閉手段２８が設けられている。前記所定の高さ位置は、図示の例では、第一の開口２７の上縁部２７ａに対応する高さ位置に設定されている。
【００３２】
開閉手段２８は、図示の例では、貯水部１１内の水位を検出するための水位センサ２９と、第一の開口２７を開放する開放位置（図５に示す位置である。）と第一の開口２７を閉鎖する閉鎖位置（図６に示す位置である。）との間で移動可能に第一のマンホール２５に設けられた扉部材３０と、水位センサ２９からの検出信号に基づいて扉部材３０を移動させるべく作動する駆動部３１とを備える。
【００３３】
水位センサ２９は、第一の開口２７の上縁部２７ａに取り付けられている。水位センサ２９は、貯水部１１内の水位が上昇して第一の開口２７の上縁部２７ａに達したことを検出したときすなわち水位センサ２９が浸水したとき、扉部材３０を前記閉鎖位置に移動させることを示す検出信号を駆動部３１に送る。また、水位センサ２９は、貯水部１１内の雨水の水位が低下して第一の開口２７の上縁部２７ａに達したことを検出したときすなわち水位センサ２９が水面から露出したとき、扉部材３０を前記開放位置に移動させることを示す検出信号を駆動部３１に送る。
【００３４】
扉部材３０は、第一の開口２７を覆う大きさを有する板部材からなり、第一の開口２７の上縁部２７ａに該上縁部に沿って設けられた軸部材３２を介して該軸部材の周りに回動可能に取り付けられている。扉部材３０には、その前記閉鎖位置で第一の開口２７との間を気密的に封止するための図示しないシール部材が設けられている。
【００３５】
駆動部３１は、図示の例では、従来よく知られたアクチュエータで構成されている。駆動部３１は、扉部材３０を前記閉鎖位置に移動させることを示す検出信号を水位センサ２９から受けると、図５に示すように、扉部材３０を上方へ向けて軸部材３２の周りに回動させる。これにより、第一の開口２７が開放状態におかれる。他方、駆動部３１は、扉部材３０を前記開放位置に移動させることを示す検出信号を水位センサ２９から受けると、図５に示すように、扉部材３０を下方へ向けて軸部材３２の周りに回動させる。これにより、第一の開口２７が扉部材３０により閉鎖された閉鎖状態におかれる。
【００３６】
更に、第一のマンホール２５には、貯水部１１内に開放する第二の開口３３が第一の開口２７の上方に該開口に間隔をおいて形成されている。
【００３７】
第二のマンホール２６の側壁２６ａの下部２６ｂには、開口３４が形成されている。第二のマンホール２６は、図４（ｂ）に示すように、その開口３４が土砂溜め部２４の他端２４ｃで土砂溜め部２４内に開放し且つ開口３４の下縁部３４ａが土砂溜め部２４の底面２４ｄとほぼ等しい高さ位置になるように又は土砂溜め部２４の底面２４ｄの下方に位置するように配置されている。
【００３８】
流入管１９を経て貯水部１１内に流入した雨水の水位が第一の開口２７の下縁部２７ｂ（図５参照。）を超えて上昇したとき、水位センサ２９は未だ浸水していないことから第一の開口２７は扉部材３０により閉鎖されることなく開放状態におかれているので、貯水部１１内の雨水の一部が第一の開口２７を経て第一のマンホール２５内に流入する。また、このとき、第二のマンホール２６に形成された開口３４の下縁部３４ａは、前記したように、土砂溜め部２４の底面２４ｄとほぼ等しい高さ位置又は土砂溜め部２４の底面２４ｄの下方に位置していることから、土砂溜め部２４内に流入した雨水の一部が開口３４を経て第二のマンホール２６内に流入する。
【００３９】
貯水部１１内の雨水の水位が更に上昇して第一の開口２７の上縁部２７ａに達したとき、水位センサ２９が浸水することから、前記したように、該水位センサから受ける検出信号に基づく駆動部３１の作動により扉部材３０が前記閉鎖位置に向けて回動することによって第一の開口２７が扉部材３０により閉鎖される。このとき、扉部材３０には、前記したように、その前記閉鎖位置で第一の開口２７との間を気密的に封止するための前記シール部材が設けられていることから、貯水部１１内から第一のマンホール２５内に流入した雨水が第一の開口２７及び扉部材３０間を経て貯水部１１内に流出することが防止される。第一の開口２７が扉部材３０によって閉鎖されることにより、第一のマンホール２５内に雨水が貯留される。すなわち、第一のマンホール２５は、貯水部１１とは別に雨水が貯留される貯留部を構成する。
【００４０】
更に、貯水部１１内の水位が上昇して第二の開口３３の下縁部３３ａ（図５参照。）を超えたとき、貯水部１１内の雨水の一部は第二の開口３３を経て第一のマンホール２５内に流入し、これにより、雨水が第一のマンホール２５内に更に貯留される。
【００４１】
貯水部１１内の水位が第二の開口３３の下縁部３３ａと第一の開口２７の上縁部２７ａとの間に位置している状態では第一のマンホール２５内に雨水が貯留されており、例えば貯水部１１に設けられた前記オリフィス管から前記下水管への流出により貯水部１１内の水位が低下する。貯水部１１内の水位の低下によって貯水部１１内の水位が第一の開口２７の上縁部２７ａを超えたとき、水位センサ２９が水面から露出するので、前記したように、該水位センサから受ける検出信号に基づく駆動部３１の作動により扉部材３０が前記開放位置に向けて回動することによって第一の開口２７が開放される。このとき、第一の開口２７は、前記したように、土砂溜め部２４の一端２４ｂで土砂溜め部２４内に開放していることから、第一のマンホール２５内に貯留された雨水が第一の開口２７を経て土砂溜め部２４内に流出する。また、第一の開口２７の上縁部２７ａは、前記したように、貯水部１１の基礎部１５の上面１５ａとほぼ等しい高さ位置又は基礎部１５の上面１５ａよりも下方に位置していることから、貯水部１１内の水位が低下して第一の開口２７の上縁部２７ａを超えたときすなわち水位センサ２９が水面から露出して第一の開口２７が開放状態におかれたとき、貯水部１１内の基礎部１５の上面１５ａよりも上方の空間には雨水は貯留されておらず、貯水部１１内には雨水が土砂溜め部２４内に第一の開口２７の上縁部２７ａよりも下方の空間で貯留されている。これにより、第一のマンホール２５内に貯留された雨水が第一の開口２７を経て土砂溜め部２４内に流出したとき、貯水部１１内に雨水が第一の開口２７の上縁部２７ａを超えて貯留されている場合に比べて、第一のマンホール２５内から流出した雨水が貯水部１１内の雨水から受ける抵抗が大きく低減される。これにより、第一のマンホール２５内からの雨水の流出により土砂溜め部２４内にその一端２４ｂから他端２４ｃに向けて水流を形成することができる。これにより、第一のマンホール２５内からの雨水から土砂溜め部２４内の土砂に該土砂溜め部の他端２４ｂに向けての圧力が作用するので、土砂溜め部２４内の土砂が第一のマンホール２５内からの雨水により土砂溜め部２４内をその他端２４ｃに向けて押し流される。このとき、第二のマンホール２６に形成された開口３４は、前記したように、開口３４が土砂溜め部２４の他端２４ｃで土砂溜め部２４内に開放しており、開口３４の下縁部３４ａは土砂溜め部２４の底面２４ｄとほぼ等しい高さ位置又は土砂溜め部２４の底面２４ｄの下方に位置していることから、土砂溜め部２４内を他端２４ｃに向けて押し流された土砂は開口３４を経て第二のマンホール２６内に流入する。これにより、土砂溜め部２４内の土砂が第二のマンホール２６内に収集される。すなわち、第二のマンホール２６は、土砂溜め部２４内に溜まった土砂が集められる収集箇所を構成する。
【００４２】
第二のマンホール２６内に収集された土砂を除去する際、第二のマンホール２６内に例えば図示しない吸引装置のホースを挿入し、前記吸引装置の作動により前記ホースを経て第二のマンホール２６内から土砂を吸引する。これにより、土砂溜め部２４内に溜められた土砂を貯水部１１内から排出することができる。
【００４３】
本実施例によれば、前記したように、貯水部１１には、該貯水部とは別に雨水が貯留される貯留部である第一のマンホール２５が設けられており、該第一のマンホールは、貯水部１１内の雨水の水位が所定の高さ位置よりも低くなったとき、土砂溜め部２４内に溜まった土砂を所定の収集箇所である第二のマンホール２６内に向けて押し流すために、貯留部１１内に貯留された雨水を土砂溜め部２４内に流入させることから、貯水部１１内の雨水の水位が所定の高さ位置よりも低くなる度に、第一のマンホール２５内に貯留された雨水を土砂溜め部２４内に流入することにより、土砂溜め部２４内全域の土砂を第二のマンホール２６内に収集することができる。
【００４４】
これにより、例えば吸引装置を用いて土砂溜め部２４内の土砂を除去する場合でも、土砂溜め部２４内全域の土砂が第二のマンホール２６内に第一のマンホール２５内の雨水によって予め収集されていることから、吸引用のホースを第二のマンホール２６内に挿入することにより、土砂溜め部２４内を探ることなく土砂溜め部２４内の土砂の大部分を容易に吸引することができる。
【００４５】
従って、土砂溜め部２４内の土砂を土砂溜め部２４の全域に亘って吸引するために土砂溜め部２４内の全域を探りながら吸引用のホースを操作することによる従来のような土砂溜め部２４内からの土砂の除去作業の煩雑さを招くことなく、土砂溜め部２４内からの土砂の除去作業を容易に行うことができる。
【００４６】
また、貯水部１１内の雨水の水位が所定の高さ位置よりも低くなったときに第一のマンホール２５内に貯留された雨水が土砂溜め部２４内に流入し、前記所定の高さ位置が第一のマンホール２５に形成された第一の開口２７の上縁部２７ａに対応する水位に設定されており、これにより、第一のマンホール２５内からの雨水が貯水部１１内に貯留された雨水から大きな抵抗を受けることが防止されることから、第一のマンホール２５内から土砂溜め部２４内に雨水を流入したとき、貯水部１１内の雨水により第一のマンホール２５からの雨水の水勢が大きく弱められることが防止されるので、第一のマンホール２５内の雨水から土砂に該土砂を押し流すのに十分な圧力を確実に作用させることができる。
【００４７】
これにより、土砂に圧力を弱められることなく確実に作用させるために、高圧洗浄装置を用いて土砂溜め部２４内の土砂を除去する場合のような貯水部１１内の雨水の水位の確認作業を除去作業を行う度に行う必要はない。
【００４８】
従って、貯水部１１内の雨水の水位の確認作業を除去作業を行う度に行うことによる従来のような土砂溜め部２４内からの土砂の除去作業の煩雑さを招くことなく、土砂溜め部２４内からの土砂の除去作業を容易に行うことができる。
【００４９】
更に、高圧洗浄装置を用いることなく土砂溜め部２４内の土砂を第二のマンホール２６内に収集することができることから、吸引装置を用いた吸引作業に加えて高圧洗浄装置を用いた洗浄作業を行う必要はない。これにより、洗浄作業を行うことによる作業工数の増加を確実に防止することができるので、従来のような作業効率の低下を確実に防止することができる。
【００５０】
また、前記したように、貯水部１１内の水位を検出するための水位センサ２９は、貯水部１１内の水位が上昇して前記所定の高さ位置に達したとき第一の開口２７を閉鎖する閉鎖位置に扉部材３０を移動させることを示す検出信号を駆動部３１に送り、貯水部１１内の雨水の水位が低下して前記所定の高さ位置に達したとき第一の開口２７を開放させる開放位置に扉部材３０を移動させることを示す検出信号を駆動部３１に送ることから、水位センサ２９からの検出信号に基づいて駆動部３１を作動させることにより、貯水部１１内の水位に応じて第一の開口２７を開閉することができるので、第一のマンホール２５内からの雨水の流出を容易に制御することができる。
【００５１】
本実施例では、雨水を地上から貯水部１１内に案内するための流入管１９が貯水部１１に接続された例を示したが、これに代えて、流入管１９を第一のマンホール２５に接続することができる。
【００５２】
この場合、流入管１９を経て第一のマンホール２５内に案内された雨水は、第一のマンホール２５の第一の開口２７を経て第一のマンホール２５から貯水部１１内に流入する。貯水部１１内に流入した雨水の水位が第一の開口２７の上縁部２７ａに達したとき、第一の開口２７が扉部材３０により閉鎖されるので、第一のマンホール２５から貯水部１１への雨水の流出が防止される。第一の開口２７が閉鎖された状態で第一のマンホール２５内に雨水が流入すると、雨水は第一のマンホール２５の外方に漏れることなく該マンホール内に溜まる。第一のマンホール２５内の水位が上昇して第二の開口３３の下縁部３３ａを超えたとき、雨水は第一のマンホール２５内から第二の開口３３を経て再び貯水部１１内に流入し始める。その後、貯水部１１内の水位が第二の開口３３の下縁部３３ａと第一の開口２７の上縁部２７ａとの間に位置している状態では第一のマンホール２５内に雨水が貯留されており、貯水部１１内の水位が第一の開口２７を超えて低下したとき、前記したと同様に、第一のマンホール２５内に貯留された雨水によって土砂溜め部２４内の土砂が第二のマンホール２６内に押し流される。
【００５３】
また、本実施例では、貯水部１１とは別に雨水を貯留するための貯留部を構成する第一のマンホール２５に加えて第二のマンホール２６が貯水部１１に設けられた例を示したが、これに代えて、第二のマンホール２６を不要とすることができる。この場合、土砂溜め部２４の他端２４ｃを例えば前記下水管に接続することができる。これにより、第一のマンホール２５内からの雨水により土砂溜め部２４内を押し流された土砂を土砂溜め部２４内から前記下水管に排出することができるので、前記吸引装置を用いた吸引作業が不要とすることができる。
【００５４】
更に、本実施例では、貯水部１１とは別に雨水を貯留するための貯留部が第一のマンホール２５で構成された例を示したが、これに代えて、例えば貯水部１１内を部分的に区画することにより形成された空間や貯水部１１に第一のマンホール２５以外に設けられた部材により前記貯留部を構成することができる。
【００５５】
また、本実施例では、第一の開口２７を開閉する扉部材３０が第一の開口２７の上縁部２７ａに該上縁部に沿って設けられた軸部材３２を介して該軸部材の周りに回動可能に取り付けられた例を示したが、これに代えて、例えば、扉部材３０を、第一のマンホール２５の前記側壁２５ａの内方又は外方で該側壁にほぼ平行になるように配置し、第一の開口２７を閉鎖する閉鎖位置と該開口を開放する開放位置との間で前記側壁２５ａに沿って上下方向に移動可能に設けることができる。この場合、扉部材３０を上下方向に移動させるための駆動機構を第一のマンホール２５に設けることができる。
【００５６】
更に、本実施例では、第一の開口２７を開閉するための開閉手段２８が、水位センサ２９、扉部材３０及び駆動部３１を備える例を示したが、これに代えて、又は、これに加えて、貯水部１１内の雨水の水位が所定の高さ位置に達したときに第一の開口２７を開閉することができれば、水位センサ２９、扉部材３０及び駆動部３１以外の部材を備える開閉手段を本発明に適用することができる。
【００５７】
また、本実施例では、貯水部１１の側面１１ａ上及び基礎部１５上に、それぞれ地中への雨水の浸透を防止するための防水シート１６，１８が設けられた例を示したが、これに代えて、貯水部１１内に貯留された雨水を地中に徐々に浸透させるために、貯水部１１の側面１１ａ上及び基礎部１５上に、それぞれ図示しない透水シートを設けることができる。
【図面の簡単な説明】
【００５８】
【図１】本発明に係る雨水貯水システムを概略的に示す縦断面図である。
【図２】本発明に係る充填部材を概略的に示す斜視図である。
【図３】本発明に係る雨水貯留システムを概略的に示す平面図である。
【図４】（ａ）は本発明に係る第一のマンホールの配置態様を概略的に示す説明図であり、（ｂ）は本発明に係る第二のマンホールの配置態様を概略的に示す説明図である。
【図５】本発明に係る扉部材が開放位置におかれた状態を概略的に示す縦断面図である。
【図６】本発明に係る扉部材が閉鎖位置におかれた状態を概略的に示す縦断面図である。
【符号の説明】
【００５９】
１０  雨水貯留システム
１１  貯水部
２０  充填部材-
２４  土砂溜め部
２５  貯留部（第一のマンホール）
２７  開口（第一の開口）
２８  開閉手段
２９  水位センサ
３０  扉部材
３１  駆動部
【図１】
2008121349.tif 000003
【図２】
2008121349.tif 000004
【図３】
2008121349.tif 000005
【図４】
2008121349.tif 000006
【図５】
2008121349.tif 000007
【図６】
2008121349.tif 000008